(57)【要約】【課題】本発明は一種の電気コネクタ組立体を提供し、特にチップモジュールが取付けられる過程中に受力が大きいことによりベースを損害することを防止する電気コネクタ組立体を提供することを目的とする。【解決手段】本発明の電気コネクタ組立体はチップモジュールと回路基板とを電気的に接続することに用いられ、回路基板に取付けられるベースと、チップモジュールをベースに押えるカバーと、複数の側辺から囲ってなりベースの外囲に設置されベースの強度を向上する筐体と、を備える。前記カバーはベースの一端に可動に軸支され、該一端と相対する他の一端に押え機構が取付けられ、前記ベースの該両端の筐体に隣接する外側に突部が設けられ、該突部と対応する筐体の所に該突部と互いに押え合わせるグルーブが設けられ、電気コネクタが働く際に、筐体はベースの受力両端に押え、ベースの働く強度を向上することになる。【選択図】      図１
2004311386.tif 000002
【特許請求の範囲】
【請求項１】
チップモジュールと回路基板とを電気的に接続することに用いられる電気コネクタ組立体であって、
回路基板に取付けられ、チップモジュールを搭載することに用いられるベースと、
複数の側辺から囲ってなり且つ中央部に大きな空間が形成され、ベースの外囲に設置される筐体と、を備え、
前記ベースの筐体に隣接する外側に突部が設けられ、該突部と対応する筐体の所にグルーブが設けられ、該グルーブは突部と互いに押え合わせ、ベースの働く強度を向上することを特徴とする電気コネクタ組立体。
【請求項２】
前記突部はベースの相対する両外側の回路基板に近付く所に設けられていることを特徴とする請求項１に記載の電気コネクタ組立体。
【請求項３】
前記突部は互いに隔てる複数のブロック状構造に形成されていることを特徴とする請求項１に記載の電気コネクタ組立体。
【請求項４】
前記突部は筐体の外側から一体に延伸され細長形状構造に形成されていることを特徴とする請求項１に記載の電気コネクタ組立体。
【請求項５】
前記グルーブは筐体の側辺を貫通しベースの突部と対応する所に設けられていることを特徴とする請求項１記載の電気コネクタ組立体。
【請求項６】
前記グルーブは筐体の側辺の内側縁のベースの突部と対応する所に凹設され、筐体の側辺を貫通しないことを特徴とする請求項１記載の電気コネクタ組立体。
【請求項７】
前記電気コネクタ組立体は更にカバーを備えていることを特徴とする請求項１記載の電気コネクタ組立体。
【請求項８】
前記カバーはベースに可動に軸支されていることを特徴とする請求項７記載の電気コネクタ組立体。
【請求項９】
前記カバーはベースと回転し接続する接続端及び該接続端と相対する他の一端から延伸し設置される押え端を含んでいることを特徴とする請求項７に記載の電気コネクタ組立体。
【請求項１０】
前記ベースにはカバーを押える押え機構が設けられていることを特徴とする請求項７に記載の電気コネクタ組立体。
【請求項１１】
チップモジュールと回路基板とを電気的に接続することに用いられる電気コネクタ組立体であって、
回路基板に取付けられ、チップモジュールを搭載することに用いられるベースと、
複数の側辺から囲ってなり且つ中央部に大きな空間が形成され、ベースの外囲に設置される筐体と、
ベースに取付けられ、チップモジュールをベースに押えるカバーと、を備え、前記ベースの筐体に隣接する外側に突部が設けられ、該突部と対応する筐体の所にグルーブが設けられ、該グルーブは突部と互いに押え合わせ、ベースの働く強度を向上することを特徴とする電気コネクタ組立体。
【請求項１２】
前記突部はベースの相対する両外側の回路基板に近付く所に設けられていることを特徴とする請求項１１に記載の電気コネクタ組立体。
【請求項１３】
前記突部は互いに隔てる複数のブロック状構造に形成されていることを特徴とする請求項１１に記載の電気コネクタ組立体。
【請求項１４】
前記突部は筐体の外側から一体に延伸され細長形状構造に形成されていることを特徴とする請求項１１に記載の電気コネクタ組立体。
【請求項１５】
前記グルーブは筐体の側辺を貫通し、ベースの突部と対応する所に設けられていることを特徴とする請求項１１記載の電気コネクタ組立体。
【請求項１６】
前記グルーブは筐体の側辺の内側縁のベースの突部と対応する所に凹設され、筐体の側辺を貫通しないことを特徴とする請求項１１記載の電気コネクタ組立体。
【請求項１７】
前記カバーはベースと回転し接続する接続端及び該接続端と相対する他の一端から延伸し設置される押え端を含んでいることを特徴とする請求項１１に記載の電気コネクタ組立体。
【請求項１８】
前記ベースにはカバーを押える押え機構が設けられていることを特徴とする請求項１１に記載の電気コネクタ組立体。
【発明の詳細な説明】
【０００１】
【発明の属する技術分野】
本発明は、一種の電気コネクタ組立体に関し、特にチップモジュールと回路基板とを電気的に接続するために用いられる電気コネクタ組立体に関するものである。
【０００２】
【従来の技術】
ＬＧＡコネクタは通常ランドグリッドアレイチップモジュールといっしょに使用され、且つ該コネクタとチップモジュールとの間に押え方式で二者の導電部材の接触を達成し、且つ二者の安定的電気的な接続を達成する。特許文献１乃至特許文献５には当該電気コネクタの構造が提示された。
【０００３】
図４及び図５を参照すると、従来のＬＧＡ電気コネクタ８はベース８１と、該ベース８１の外囲に設置される筐体８２と、ベース８１に取付けられチップモジュールを回路基板７に押えるカバー８３と、を備える。電気コネクタ８が働く際に、まずベース８１が回路基板７に取付けられ、それから筐体８２がベース８１の外囲に取付けられ且つ回路基板７に固着される。チップモジュールが取付けられる前に、カバー８３が開放状態にあり、チップモジュールがベース８１に取付けられた後、カバー８３を回転し閉鎖状態にあり、チップモジュールを押える。
ＬＧＡ電気コネクタとチップモジュールとの間に押え方式で接触し、電気コネクタ８のカバー８３が閉鎖状態になった後、チップモジュールを回路基板に押える際に、ベース８１は大きな伸張応力を生じ、ひいてはベース８１を破裂させ、電気コネクタ８の電気性能に影響することになる。
【０００４】
それ以後、電気コネクタのベースが大きな強度を有するために、ベースに金属枠組のような部材が設けられた。該方式は製造が複雑で、金属枠組の生産コストが高く、生産ロットに不利になる。
【０００５】
【特許文献１】
米国特許第４５０４１０５号明細書
【特許文献２】
米国特許第４６２１８８４号明細書
【特許文献３】
米国特許第４６９２７９０号明細書
【特許文献４】
米国特許第５３０２８５３号明細書
【特許文献５】
米国特許第５３４４３３４号明細書
【０００６】
【発明が解決しようとする課題】
本発明は、一種の電気コネクタ組立体を提供し、特にチップモジュールが取付けられる過程中に受力が大きいことによりベースを損害することを防止する電気コネクタ組立体を提供することを目的とする。
【０００７】
【課題を解決するための手段】
本発明の電気コネクタ組立体はチップモジュールと回路基板とを電気的に接続することに用いられ、回路基板に取付けられるベースと、チップモジュールをベースに押えるカバーと、複数の側辺から囲ってなりベースの外囲に設置されベースの強度を向上する筐体と、を備える。前記カバーはベースの一端に可動に軸支され、該一端と相対する他の一端に押え機構が取付けられ、前記ベースの該両端の筐体に隣接する外側に突部が設けられ、該突部と対応する筐体の所に該突部と互いに押え合わせるグルーブが設けられ、電気コネクタが働く際に、筐体はベースの受力両端に押え、ベースの働く強度を向上することになる。
【０００８】
【発明の実施の形態】
図１乃至図３を参照すると、本発明の電気コネクタ組立体１は回路基板に取付けられるベース２と、該ベース２の外囲に設置されベース２の強度を向上する筐体と、ベース２に軸支されチップモジュール（図示せず）を回路基板５に押えるカバー４と、を備える。
【０００９】
前記ベース２はチップモジュールを搭載する平板状構造に形成され、該ベース２に導電端子６を収容するための複数の端子穴２１が貫通して設けられている。
ベース２の一端に接続部２２が設けられ、該接続部２２はカバー４を軸支し、カバー４とベース２との回転接続を提供し、該一端と相対する他の一端に押え機構２３が取付けられ、該押え機構２３を回転しカバー４を押えるまたは緩和する。
本実施の形態において、押え機構２３は「Ｌ」字型の操作レバーである。ベース２の前記カバー４と押え機構２３をそれぞれ設ける両端の回路基板に近付く一側にそれぞれ複数の方形突部２４が突出され、他の実施の形態において、当該突部２４は前記一側から延伸され回路基板に近付く細長形状構造に形成されている。
【００１０】
筐体３は方形構造に形成され、複数の側辺３１から囲ってなる方形空間３２を含み、該空間３２の寸法はベース２の外囲の寸法と相応し、筐体３の両側辺の回路基板に近付く一側に複数のグルーブ３３が貫通して形成され、当該グルーブ３３はベース２の突部２４と対応している。他の実施の形態において、突部２４が細長形状構造に形成される場合に、グルーブ３３が細長形状に相応して形成される。また、筐体３の側辺の厚さが十分に大きい場合に、グルーブ３３が当該側辺を貫通することを必要としない。筐体３の４つの角にある所にそれぞれ取付け部３４が設けられ、ねじのような固着部材を挿設し筐体３が回路基板に固着される。
【００１１】
前記カバー４は湾曲し方形の枠状構造に形成され、一端にベース２の接続部２２と回転接続する軸支端４１が延伸して設けられ、該一端と相対する他の一端に押え端４２が延伸して設けられ、且つ該カバー４がベース２へ湾曲する一部は働く際にチップモジュールに押えられる。
【００１２】
組立てる際に、まず押え機構２３がベース２の一端に取付けられ、カバー４がベース２の他の一端に軸支され、それから押え機構２３及びカバー４を取付けたベース２が回路基板に取付けられる。それ以後、筐体３はベース２の外囲に取付けられ、且つ筐体３の側辺の複数のグルーブ３３はベース２の外側の複数の突部２４に相応して収容して係合され、最後に、筐体３の取付け部３４にねじのような固着部材を挿設し、電気コネクタ組立体１が回路基板に固着される。
【００１３】
チップモジュールを取付ける際に、まずカバー４を開放状態に回転し、チップモジュール５はベース２に取付けられ電気コネクタ組立体１の導電端子６と電気的に接続し、それから、カバー４を回転し、前記カバー４がベース２へ湾曲する一部はチップモジュールに貼付けられ、最後に、押え機構２３を回転しカバー４の押え端４２に押え、カバー４によりチップモジュール５がベース２に安定的に固着され、優れた電気性能を実現する。
【００１４】
ベース２の突部２４と筐体３のグルーブ３３との合わせる構造により、筐体３はベース２の受力両端に押え、ベース２の強度を有効に向上し、電気コネクタ組立体１が働く時の損害を回避し、電気コネクタ組立体１の優れた機械性能及び電気性能を保証し得る。
【００１５】
前記実施の形態は単なる本発明のより良い実施の形態であって、本発明の請求範囲を限定するものではなく、当業者が本発明に基づいてなしうる細部の修正或は変更などは、いずれも本発明の特許請求の範囲に属する。
【図面の簡単な説明】
【図１】本発明の電気コネクタ組立体の分解斜視図である。
【図２】本発明の電気コネクタ組立体のカバーが開放状態にある斜視図である。
【図３】本発明の電気コネクタ組立体のカバーが閉鎖状態にある斜視図である。
【図４】従来の電気コネクタ組立体の分解斜視図である。
【図５】従来の電気コネクタ組立体のカバーが開放状態にある斜視図である。
【符号の説明】
１  電気コネクタ組立体
２  ベース
３  筐体
４  カバー
５  回路基板
６  導電端子
２１  端子穴
２２  接続部
２３  押え機構
２４  突部
３１  側辺
３２  矩形空間
３３  グルーブ
３４  取付け部
４１  軸支端
４２  押え端
【図１】
2004311386.tif 000003
【図２】
2004311386.tif 000004
【図３】
2004311386.tif 000005
【図４】
2004311386.tif 000006
【図５】
2004311386.tif 000007